(57)【要約】【課題】現用の印鑑に付設することにより、捺印場所に印章が傾くことなく正確に押印できる押印補助具を提供する。【解決手段】二つの腕部に各々長さ方向に細長いスリットを有し、かつ屈折部が直角をなすＬ字型の定規２枚を、内側に、印鑑を挿入して保持するための正方形又は長方形の空間を形成するように２箇所で交差させ、該交差部を締着機構により定着する押印補助具による。【選択図】  図１
2004330493.tif 000002
【特許請求の範囲】
【請求項１】
二つの腕部に各々長さ方向に細長いスリットを有し、かつ屈折部が直角をなすＬ字型の定規２枚を、内側に、印鑑を挿入して保持するための正方形又は長方形の空間を形成するように２箇所で交差させ、該交差部を締着機構により緊緩自在に定着してなることを特徴とする押印補助具。
【請求項２】
締着機構が、２枚のＬ字型定規のスリット同士が交差して重なり合って形成される上下に貫通する貫通穴部にボルトを挿通し、ナットで締めるねじ止め式のものであることを特徴とする請求項１に記載の押印補助具。
【請求項３】
Ｌ字型定規の印鑑を保持する面が、粗面又はゴムなどの弾力性を有する面で構成されてなることを特徴とする請求項１又は２に記載の押印補助具。
【請求項４】
Ｌ字型定規の屈折部が、下方に、貫通穴部に挿通されたボルトの頭部が前記Ｌ字型定規の腕部下面から突出する長さに見合う厚みを持ってなることを特徴とする請求項１〜３のいずれか１項に記載の押印補助具。
【請求項５】
Ｌ字型定規の屈折部及び締着機構の下面に、弾力性を有する素材を貼着し、押印時に印鑑から加わる力に応じて前記２枚のＬ字型定規が下方に移動可能なように構成してなることを特徴とする請求項１〜４のいずれか１項に記載の押印補助具。
【請求項６】
Ｌ字型定規の二つの腕部に寸法目盛を付してなることを特徴とする請求項１〜５のいずれか１項に記載の押印補助具。
【発明の詳細な説明】
【０００１】
【発明の属する技術分野】本発明は、捺印場所に印章が傾くことなく正確に押印できるよう、押印時印鑑に付設する押印補助具に関する。
【０００２】
【従来の技術及び発明が解決しようとしている課題】一般に使用されている印鑑は、その横断面が円形、楕円形又は方形であり、所定の捺印場所に印章が傾くことなく正確に押印するには、断面が方形の場合は印鑑の外郭をなす直線が一つの基準として使用できるが、断面が円形又は楕円形の場合には感覚に頼るほかなく、かなり困難を伴う。したがって、従来の印鑑は、方形断面のものも含めて印章の上方を示す窪みや小突起が設けられているものが多い。
しかし、これら窪みや小突起は、印鑑を把持する際に印章の上下を判断するのに有効ではあるが、多くの場合この窪みや小突起に指をかけて把持するので、押印直前には前記窪みや小突起は指に覆われて目視できなくなり、最終的には感覚に依存して押印する結果を招いていた。
したがって、捺印場所に印章が傾くことなく正確に押印するために、従来から様々な方向指示手段を備えた印鑑が提案され、本発明者も特開２０００−１４００７８「方向指示棒を有する印鑑」の発明を行っている。しかし、これらの発明は、いずれも印鑑自体に何らかの加工を施したものであり、現用の印鑑に即応用できるものではない。
上記従来の技術に鑑み、現用の印鑑に付設することにより、捺印場所に印章が傾くことなく正確に押印できる押印補助具を提供する。
【０００３】
【課題を解決するための手段】本発明者は上記課題を下記の手段により解決した。
（１）二つの腕部に各々長さ方向に細長いスリットを有し、かつ屈折部が直角をなすＬ字型の定規２枚を、内側に、印鑑を挿入して保持するための正方形又は長方形の空間を形成するように２箇所で交差させ、該交差部を締着機構により緊緩自在に定着してなることを特徴とする押印補助具。
（２）締着機構が、２枚のＬ字型定規のスリット同士が交差して重なり合って形成される上下に貫通する貫通穴部にボルトを挿通し、ナットで締めるねじ止め式のものであることを特徴とする前記（１）に記載の押印補助具。
（３）Ｌ字型定規の印鑑を保持する面が、粗面又はゴムなどの弾力性を有する面で構成されてなることを特徴とする前記（１）又は（２）に記載の押印補助具。
（４）Ｌ字型定規の屈折部が、下面に、貫通穴部に挿通されたボルトが頭部の前記Ｌ字型定規の腕部下面から突出する長さに見合う厚みを持ってなることを特徴とする前記（１）〜（３）のいずれか１項に記載の押印補助具。
（５）Ｌ字型定規の屈折部及び締着機構の下面に、弾力性を有する素材を貼着し、押印時に印鑑から加わる力に応じて前記２枚のＬ字型定規が下方に移動可能なように構成してなることを特徴とする前記（１）〜（４）のいずれか１項に記載の押印補助具。
（６）Ｌ字型定規の腕部に寸法目盛を付してなることを特徴とする前記（１）〜（５）のいずれか１項に記載の押印補助具。
【０００４】
【発明の実施の形態】本発明の実施の形態を実施例の図面に基づいて説明する。
図１は、本発明における押印補助具の実施例の構成図である。
図において１は押印補助具、２ａ、２ｂはＬ字型定規、３はスリット、４は屈折部、５ａ、５ｂは腕部、６はボルト、７はナット、８は印鑑である。
【０００５】
本実施例の押印補助具１は、図１に示すように、二つの腕部５ａ、５ｂが各々長さ方向に細長いスリット３を有し、かつ屈折部４が直角をなす２枚のＬ字型定規２ａ、２ｂを、内側に、印鑑８を挿入して保持するための正方形又は長方形の空間を形成するように２箇所で交差させて重ね、前記２枚のＬ字型定規２ａ、２ｂのスリット３同士が交差し重なり合って形成される上下に貫通する貫通穴部にボルト６を挿通し、ナット７で締めて定着する構造をなしている。
また、上記構造では、前記２箇所の貫通穴部に挿通されるボルト６の頭部が、その厚み分だけ前記２枚のＬ字型定規２ａ、２ｂのうち下方に位置するいずれか一つ（図１では２ｂ）の下部に突出する。したがって、前記押印補助具１は２点で保持されることになりやや安定を欠くことにもなるので、前記Ｌ字型定規２ａ、２ｂの屈折部４付近の下部に、前記ボルト６の頭部がＬ字型定規２ａ、２ｂから突出する長さに見合った厚みを持たせて（図示せず）安定を保つようにすることが好ましい。
なお、前記ナット７は、蝶ねじなど指を使って緊緩可能なものであることが好ましい。
【０００６】
本実施例の押印補助具１は、前記２箇所のナット７を緩めれば、前記２枚のＬ字型定規２ａ、２ｂの各スリット３の交差部に形成される上下に貫通する貫通穴部に挿通したボルト６が、二つのスリット３に沿って移動可能となるので、２枚のＬ字型定規２ａ、２ｂの相対位置を、その内側に使用する印鑑８の大きさに適合した正方形、又は長方形の空間が形成されるように変化することができる。このようにして形成した空間に印鑑を挿入した後ナット７を締めることにより前記２枚のＬ字型定規２ａ、２ｂの結合が固定され、印鑑８の保持が可能になる。
なお、図１は、断面が円形の印鑑８の場合を示したので、前記２枚のＬ字型定規２ａ、２ｂの内側に形成する空間は正方形となっているが、前記空間は正方形とは限らず長方形にもなるので、長方形、又は楕円形の断面を持つ印鑑８も保持可能である。
【０００７】
上記のように本実施例の押印補助具１は、２枚のＬ字型定規２ａ、２ｂの内側に形成される正方形又は長方形の空間に印鑑８を挿入して保持するので、Ｌ字型定規２ａ及び２ｂの印鑑８に接する面は、印鑑８を確実に保持し得るよう粗面又はゴムなど弾力性を有する面で構成されることが好ましい。
【０００８】
本実施例の押印補助具１に保持された印鑑８によって捺印場所に印章を傾けることなく押印するには、前記Ｌ字型定規２ａ又は２ｂの腕部５ａ、５ｂを押印する書類の文字列などに平行又は直交するように配置した後、印鑑８を下方に押し付けて行うが、この際前記押印補助具も印鑑の動きに追随して下方に動く必要がある。このため、２枚のＬ字型定規２ａ、２ｂのスリットが重なる前記貫通穴部に挿通されたボルト６の頭部が、前記Ｌ字型定規２ａ、２ｂから突出する長さに見合う厚みを持たせた屈折部４の下面と２個のボルト６の頭部下面にウレタンなどの柔らかな弾性を有する素材が貼着されることが好ましい。
【０００９】
また、前記Ｌ字型定規２ａ、２ｂの腕部５ａ、５ｂに図示しない寸法目盛を付し、捺印位置のより正確な確認に資するとともに、物差しとしても使用可能にすることも好ましい。
【００１０】
【発明の効果】本発明における押印補助具によれば、下記のような効果が発揮できる。
▲１▼  ２枚のＬ字型定規の内側に形成される正方形又は長方形の空間の大きさ、形状が使用する印鑑の大きさ、形状に適合するように調節できるので現用するすべての印鑑に使用できる。
▲２▼  ２枚のＬ字型定規を締着する締着機構に、蝶ねじなど指で緊緩可能なねじ止め式を採用すれば、緊緩作業に工具を必要とせず、簡便、容易に使用できる。
▲３▼  Ｌ字型定規の二つの腕部を、押印する文書の文字列等に平行又は直交するよう配置することによって捺印場所に印章が傾くことなく正確に押印できる。
▲４▼  Ｌ字型定規の腕部の印鑑に接する面が粗面又はゴムなど弾力性を持った面で構成されているので、使用する印鑑を確実に保持できる。
▲５▼  押印補助具の屈折部及び締着機構の下面に押印時に印鑑の動きに追随して移動するよう、ウレタンなどの柔らかな弾性を持つ素材を貼付したので、捺印場所を確定し前記腕部の傾きを補正するために印鑑を書面上で移動し又は回転しても、印鑑の文字面は書面に接触せず書面を朱肉で汚すことがなく、捺印場所及び傾き補正確定後印鑑を下方に押し下げることによって確実な押印が可能になる。
▲６▼  前記Ｌ字型定規の腕部に付された寸法目盛より、捺印位置がより正確に確認でき、また別途物差しとしても使用できる。
【図面の簡単な説明】
【図１】本発明における押印補助具の実施例の構成図。
【符号の説明】
１：押印補助具                                            ２ａ、２ｂ：Ｌ字型定規
３：スリット                                                ４：屈折部
５ａ、５ｂ：腕部                                        ６：ボルト
７：ナット                                                    ８：印鑑
【図１】
2004330493.tif 000003